(57)【要約】【課題】シャフトの剛性を確保しながら、使用者の要求に応じた重心設定を可能とするシャフト及びシャフトの製造方法を提供する。【解決手段】バットと組み合わせてビリヤード用のキュースティックを構成するシャフト３０１であって、シャフト３０１は、シャフト本体３５１と、シャフト本体３５１の内部に設けるバランスウェイト３４１と、を備え、バランスウェイト３４１は、内部に比重の異なる２以上のウェイト３４３を前記シャフトの軸方向に並べて設けられている円筒形のウェイトスリーブ３４２を備えるシャフト。【選択図】図９
2019129882.tif 000002
【特許請求の範囲】
【請求項１】
バットと組み合わせてビリヤード用のキュースティックを構成するシャフトであって、
前記シャフトは、シャフト本体と、前記シャフト本体の内部に設けるバランスウェイトと、を備え、
前記バランスウェイトは、内部に比重の異なる２以上のウェイトを前記シャフトの軸方向に並べて設けられている円筒形のウェイトスリーブを備えることを特徴とするシャフト。
【請求項２】
前記シャフト本体は、ビリヤード球を突くためのタップを接合する先端から軸方向に前記シャフト本体の途中までの深さの中空部を有し、前記バランスウェイトは、前記中空部に設けられている請求項１に記載のシャフト。
【請求項３】
前記ウェイトスリーブは、前記軸方向の長さが前記シャフトの前記軸方向の長さの２９％から６２％である請求項１または２に記載のシャフト。
【請求項４】
複数の前記ウェイトの前記軸方向の合計の長さは、前記ウェイトスリーブの前記軸方向の長さの８０％から１００％である請求項１から３のいずれか一項に記載のシャフト。
【請求項５】
前記ウェイトと前記ウェイトスリーブはエポキシ系接着剤の硬化物で接合されている請求項１から４のいずれか一項に記載のシャフト。
【請求項６】
２以上の複数の前記ウェイトは、前記軸方向に複数の前記ウェイトが直接接触又はエポキシ系接着剤の硬化物を介して接触している請求項１から５のいずれか一項に記載のシャフト。
【請求項７】
前記ウェイトは、カーボン素材からなる請求項１から６のいずれか一項に記載のシャフト。
【請求項８】
前記ウェイトは、黄銅、銅、タングステンの少なくとも１つから選択された材料からなる請求項１から７のいずれか一項に記載のシャフト。
【請求項９】
バットと組み合わせてビリヤード用のキュースティックを構成するシャフトの製造方法であって、
前記シャフトは、シャフト本体と、前記シャフト本体の内部に設けるバランスウェイトと、を備え、
前記バランスウェイトに円筒形のウェイトスリーブの内部に比重の異なる２以上のウェイトを前記シャフトの軸方向に並べて挿入する工程と、
前記シャフト本体に前記ウェイトが挿入された前記バランスウェイトを挿入する工程と、
を備えるシャフトの製造方法。
【請求項１０】
前記バランスウェイトは、前記シャフト本体のビリヤード球を突くためのタップを接合する先端側から挿入する請求項９に記載のシャフトの製造方法。
【請求項１１】
前記バランスウェイトは、前記シャフト本体の前記バットを接合する後端側から挿入する請求項９に記載のシャフトの製造方法。
【発明の詳細な説明】
【技術分野】
【０００１】
本開示は、ビリヤード用バットと組み合わせて用いることでビリヤード用キュースティックを構成するシャフト及びシャフトの製造方法に関する。
【背景技術】
【０００２】
ビリヤード用キュースティックは、使用者ごとに求められる重量や重量のバランスが異なり、使用者の要求に合わせて重量や重量のバランスを調節することが重要である。また、ビリヤード用キュースティックは、シャフトとバットを分離可能に接続して構成されるものが一般的である。
【０００３】
特許文献１には、バッド内に一端から中空部に挿入されて各々長さ方向の異なる位置で雌ネジ部にねじ合わせられる複数の雄ネジ部材を備えることで、棒状器具の重量および重心位置を、使用者自身が任意に調節することが可能であるキュースティックが提案されている。
【先行技術文献】
【特許文献】
【０００４】
【特許文献１】ＷＯ２００６／１２６２７７公報
【発明の概要】
【発明が解決しようとする課題】
【０００５】
しかし、キュースティックは、バッド側からシャフト側に向かってテーパーを有し、シャフトのタップ側である先端に向かって外径が細くなる。そのため、シャフト側の重心位置を調整するために特許文献１の構造を採用すると、バットにおいて同構造を採用する場合に比較して、複数の雄ネジ部材のない部分のシャフトの肉厚が薄くなることから強度が低下し、シャフト全体の剛性が低下するおそれがある。それにより、シャフト全体の剛性の低下により、プレー中にビリヤード球を正確に突くことが困難となるおそれがある。
【０００６】
そのため本開示では、シャフトの剛性を確保しながら、使用者の要求に応じた重心設定を可能とするシャフト及びシャフトの製造方法を提供することを目的とする。
【課題を解決するための手段】
【０００７】
上記の課題を解決するために、本開示のシャフトは、バットと組み合わせてビリヤード用のキュースティックを構成するシャフトであって、シャフトは、シャフト本体と、シャフト本体の内部に設けるバランスウェイトと、を備え、バランスウェイトは、内部に比重の異なる２以上のウェイトを前記シャフトの軸方向に並べて設けられている円筒形のウェイトスリーブを備えることを特徴とする。
【０００８】
また、本開示のシャフトの製造方法は、バットと組み合わせてビリヤード用のキュースティックを構成するシャフトの製造方法であって、シャフトは、シャフト本体と、シャフト本体の内部に設けるバランスウェイトと、を備え、バランスウェイトに円筒形のウェイトスリーブの内部に比重の異なる２以上のウェイトを前記シャフトの軸方向に並べて挿入する工程と、シャフト本体にウェイトが挿入された前記バランスウェイトを挿入する工程と、を備える。
【発明の効果】
【０００９】
上述のシャフト及びシャフトの製造方法によれば、シャフトの剛性を確保しながら、使用者の要求に応じた重心設定を成立させることができる。
【図面の簡単な説明】
【００１０】
【図１】第１の実施形態に係るキュースティックを示す正面図である。
【図２】第１の実施形態に係るシャフト本体の正面図である。
【図３】第１の実施形態に係るバランスシャフトを構成する部品を示す斜視図である。
【図４】第１の実施形態に係るウェイトを内蔵したバランスシャフトの断面図である。
【図５】第１の実施形態に係る心棒を示す斜視図である。
【図６】第１の実施形態に係る先角心棒キャップを示す斜視図である。
【図７】第１の実施形態に係るフェーラルを示す斜視図である。
【図８】第１の実施形態に係るタップを示す斜視図である。
【図９】第１の実施形態にシャフトを示す断面図である。
【図１０】第１の実施形態にシャフトの製造過程における各過程の構造を示す断面図である。
【図１１】第２の実施形態にシャフトを示す断面図である。
【発明を実施するための形態】
【００１１】
以下、本実施形態について説明する。なお、以下に説明する本実施形態は、特許請求の範囲に記載された本開示の内容を不当に限定するものではない。また本実施形態で説明される構成の全てが、本開示の必須構成要件であるとは限らない。
【００１２】
（第１の実施形態）
＜構成＞
まず、図１を用いて第１の実施形態におけるビリヤードに用いるキュースティック１０１の構成について説明する。図１（ａ）は、キュースティック１０１の正面図である。図１（ｂ）は、キュースティック１０１を構成するバット２０１とシャフト３０１を示す正面図である。キュースティック１０１は、バット２０１とシャフト３０１が、バット２０１のバット側ジョイント２１１である雄ネジと、シャフト側ジョイント３１１である雌ネジが係合することによって一体化して、ビリヤードに用いるものである。シャフト３０１の先端にはビリヤード球を突くためのタップ３２３が構成され、またシャフト本体３５１とタップの間にはフェーラル３２２が構成されている。図１（ａ）のキュースティック１０１および図１（ｂ）のバット２０１とシャフト３０１は、図中の中心線を軸とした同心円の形状であり、図の下方（先端側）に向かって徐々に外形が細くなる略円錐形状である。キュースティック１０１全体の長さは１３５０ｍｍから１５００ｍｍである。バット２０１の軸方向の長さは６５０ｍｍから７５０ｍｍ、シャフト３０１の長さは６５０ｍｍから８５０ｍｍである。以下、長さについては特に言及しない限り軸方向の長さを示すものとする。
【００１３】
図２は本実施形態に係るシャフト本体３５１の正面図である。なお、図２から図１０（および第２の実施形態の図１１）は、内部の構造を説明しやすいように長さ方向に対して径方向の比率を大きくして示している、シャフト本体３５１は、先端側と反対の後端側にシャフト側ジョイント３１１である雌ネジが構成されている。また、先端から先端内壁部３５２、中間内壁部３５３、後端内壁部３５４を構成するようにシャフト本体３５１の内部には穴が設けられている。シャフト本体３５１は、原木を旋盤やドリル等で削り出して構成されているが、他の材料、例えば樹脂材料などを金型成型によって構成しても構わない。先端内壁部３５２は先端から距離が３０ｍｍで、内径はφ８．１ｍｍで構成される。中間内壁部３５３は、先端からの距離が１００ｍｍから２００ｍｍまでで構成され、１６０ｍｍが好適である。また、その内径はφ７．８ｍｍで構成されている。後端内壁部３５４は、先端からの距離が４５０ｍｍから６００ｍｍで構成され、内径はφ６．０ｍｍである。すなわち、シャフト本体３５１は、先端から内径がφ８．１ｍｍ、φ７．８ｍｍ、φ６．０ｍｍの中空部が途中までの深さで段差をつけて構成されている。
【００１４】
次に図３、図４を用いてバランスウェイト３４１の構成について説明する。図３はバランスウェイト３４１を構成するウェイトスリーブ３４２と、各ウェイト３４３から３４５を示している。図３（ａ）はウェイトスリーブ３４２であり、長さは２５０ｍｍから４００ｍｍで構成される。すなわち、ウェイトスリーブ３４２は、シャフト３０１全体の長さに対して２９％から６２％の長さを有するものである。そのため、ウェイトスリーブ３４２はシャフト３０１全体の剛性に寄与することができる。また、ウェイトスリーブ３４２は、外径がφ５．８ｍｍ、内径がφ４．２ｍｍの円筒形の中空構造体であり、カーボンファイバーなどのカーボン素材で構成されている。なお、ウェイトスリーブ３４２の外径を変更することにより強度を調整し、シャフト３０１全体の撓りの振動周期を調整することができる。
【００１５】
図３（ｂ）は、ウェイトスリーブ３４２の内部に並べて設けるためのウェイト３４３から３４５である。ウェイト３４３から３４５は外径がφ４．０ｍｍであり、それぞれの長さを任意に選択し異ならせることができる。ウェイト３４３、３４４、３４５の長さの合計は、ウェイトスリーブ３４２の長さとほぼ同じとなる１００％の長さとなるように各ウェイトの長さを選択することができる。また、各ウェイト間に接着剤を充填させるための隙間を持たせるためや、ウェイトスリーブ３４２の端部から内側にウェイトを配置するために、ウェイト３４３、３４４、３４５の長さの合計を、ウェイトスリーブ３４２の長さの８０％から１００％未満となるように各ウェイトを選択しても構わない。ウェイト３４３とウェイト３４５はカーボン素材で構成され、ウェイト３４４は黄銅（いわゆる真鍮）で構成されている。カーボン素材の比重は、１．４から２．０ｇ／ｃｍ３であり、黄銅の比重は８．４ｇ／ｃｍ３である。なお、カーボン素材に代えて、他の樹脂や、例えばアルミニウム（比重２．７ｇ／ｃｍ３）や、アルミナ（比重３．９５ｇ／ｃｍ３）などの比較的比重の小さい材料を用いても構わない。また、黄銅に代えて、銅（比重８．９ｇ／ｃｍ３）やタングステン（比重１９．３ｇ／ｃｍ３）などの比較的比重の大きい材料を用いても構わない。図３、図４ではウェイトは３つで構成しているが、２以上であれば、４以上使用しても構わない。またウェイトは３種以上の材料を使用しても構わない。
【００１６】
図４は、ウェイトスリーブ３４２に各ウェイト３４３から３４５を内部に設けたバランスウェイト３４１の断面図である。各ウェイト３４３から３４５はウェイトスリーブ３４２とエポキシ系接着剤の硬化物により固定されている。エポキシ系接着剤は、ウェイトスリーブ３４２の内径と各ウェイトの外径の隙間に均等に塗布され、ウェイトスリーブ３４２と各ウェイトの中心軸が揃うようにすることが望ましい。また、使用時にバランスウェイト３４１にかかる応力は、ウェイトスリーブ３４２からエポキシ系接着剤を介して各ウェイトに伝搬する。そのため、ウェイトスリーブ３４２の剛性および各ウェイトの剛性が、バランスウェイト３４１の剛性に寄与する。各ウェイト同士は軸方向に直接接触するように構成しても構わない。それにより、キュースティック１０１の使用時にウェイトが移動することをより抑制することができる。また、各ウェイト間にもエポキシ系接着剤を塗布することで、各ウェイトはエポキシ系接着剤の硬化物を介して軸方向に接触するように構成しても構わない。それにより、キュースティック１０１の使用時にウェイト同士が直接ぶつかることによる振動音（びびり）の発生を抑えることができ、使用感を向上させることができる。
【００１７】
図４のバランスウェイト３４１は、黄銅からなるウェイト３４４が図４の下方に偏っているため、全体の重心としては下方に偏っている。また、比重の大きいウェイト３４４の長さを調整することによって、バランスウェイト３４１全体の重さを調整することができる。すなわち、各、ウェイトの長さを調整することによって、バランスウェイト３４１全体の重さと重心を調整することができる。
【００１８】
図５は、心棒３３１を示す斜視図である。心棒３３１は外径φ８．０ｍｍ、内径φ６．２ｍｍ、長さ４０ｍｍのカーボン素材による中空の構造体である。心棒３３１の構造をシャフト本体３５１と一体として構成すると、シャフト本体３５１が木を材質とする場合に、シャフト本体３５１の径が細い先の方向の内部に穴を有する構造となりシャフト本体３５１の先端部分の強度が低下するおそれがある。そのため、心棒３３１は、シャフト本体３５１と別体としながらシャフト本体３５１の先端部分の剛性を確保する役割を担う。
【００１９】
図６は、先角心棒キャップ３２１を示す斜視図である。先角心棒キャップ３２１は、心棒３３１への直接的な衝撃を緩和し、さらに打感を損ねない適度な硬さを有するものとしてＡＢＳ樹脂（アクリロニトリル−ブタジエン−スチレン樹脂）を材質とする。また、先角心棒キャップ３２１は、心棒３３１と固定するための軸と一体に形成されている。
【００２０】
図７は、フェーラル３２２を示す斜視図である。フェーラル３２２は、心棒３３１にかぶせるように装着するために、内径がφ８．２ｍｍで心棒３３１より径が大きい筒形状で構成される。フェーラル３２２は、先角心棒キャップ３２１と同様に心棒３３１への直接的な衝撃を緩和し、さらに打感を損ねない適度な硬さを有するものとしてメラミン樹脂を材質とする。
【００２１】
図８は、シャフト３０１の先端に取り付けられるタップ３２３を示す斜視図である。タップ３２３は、皮又は樹脂からなる扁平な円形の部品であり、使用時にビリヤード球と直接接触するものである。タップ３２３は、先角心棒キャップ３２１と、例えばシアノアクリレートのような瞬間接着剤で固定される。
【００２２】
図９は、シャフト本体３５１に、バランスウェイト３４１、心棒３３１、先角心棒キャップ３２１、フェーラル３２２、タップ３２３が組付けられたシャフト３０１の完成状態を示す断面図である。
【００２３】
バランスウェイト３４１は、シャフト本体３５１の後端内壁部３５４が構成する中空部の後端に突き当たるように配置する。その際、エポキシ系接着剤の硬化物を介して突き当てるようにしても構わない。バランスウェイト３４１と後端内壁部３５４の間にはエポキシ系接着剤が充填され固定されている。エポキシ系接着剤は、後端内壁部３５４の内径とウェイトスリーブ３４２の外径との隙間に均等に塗布され、シャフト本体３５１とバランスウェイト３４１の中心軸が揃うようにすることが望ましい。また、使用時にシャフト３０１にかかる応力は、シャフト本体３５１から、エポキシ系接着剤を介してバランスウェイト３４１に伝搬する。そのため、シャフト本体３５１の剛性とバランスウェイト３４１の剛性が、シャフト３０１の剛性に寄与する。すなわち、バランスウェイト３４１を構成するウェイトスリーブ３４２の剛性および各ウェイトの剛性が、シャフト３０１の剛性に寄与することになる。また、接着剤として低粘度のエポキシ系接着剤を用いることにより、接着剤がバランスウェイト３４１と後端内壁部３５４により確実に充填されることになり、バランスウェイト３４１と後端内壁部３５４をより強固に接着し固定することができる。それにより、シャフト３０１全体の撓りの振動周期をさらに短くすることができる。なお、バランスウェイト３４１は、後端内壁部３５４が構成する中空部の奥に配置されるため、後端内壁部３５４は、シャフト３０１の先の方向にφ６．０ｍｍの中空部を有することになる。このような構造により、シャフト３０１の先部に適度な撓りを生じさせることができる。  
【００２４】
心棒３３１は、シャフト本体３５１の先端内壁部３５２と中間内壁部３５３が作る段差部に突き当たるように配置する。心棒３３１と先端内壁部３５２間にはエポキシ系接着剤が充填され固定されている。先角心棒キャップ３２１は、心棒３３１の心棒開口部３３２に入るように組付けられる。先角心棒キャップ３２１と心棒３３１の内壁の間にはエポキシ系接着剤が充填され固定されている。タップ３２３がビリヤード球を突いたとき、タップ３２３から心棒３３１に伝搬する衝撃を先端内壁部３５２と中間内壁部３５３が作る段差部が受けることによって、心棒３３１がシャフト本体３５１の内部にめり込まない構造としている。中間内壁部３５３が作る中空部、すなわち心棒３３１と、バランスウェイト３４１の間の空間には発泡ウレタンを充填する。それにより、中間内壁部３５３の剛性を高め、また、ビリヤード球を突いたときに空間からの異音の発生を低減することができる。
【００２５】
＜製造方法＞
次に、シャフト３０１の製造方法について説明する。
【００２６】
図２のシャフト本体３５１は、原木を旋盤によって外径がテーパーを持つように加工を行う。また、径の異なるドリルを用いて、シャフト本体３５１に先端側から穴をあけ、後端内壁部３５４、中間内壁部３５３、先端内壁部３５２の加工を行う。まず、径の細い穴をあけ後端内壁部３５４から構成することにより、中間内壁部３５３、先端内壁部３５２が構成する穴の中心を、後端内壁部３５４が構成する穴とそろえることができる。また、後端にも穴をあけ、雌ネジを切ることによってシャフト側ジョイント３１１の加工を行う。
【００２７】
次に、バランスウェイト３４１の製造方法について説明する。図３（ａ）で示すようにウェイトスリーブ３４２は中空の円柱形状をしておりカーボン素材を成型して作られている。なお、ウェイトスリーブ３４２はカーボン素材から削りだしても構わない。
【００２８】
図３（ｂ）は各ウェイトを示している。以下、ウェイト３４３とウェイト３４５はカーボン素材で構成され、ウェイト３４４は黄銅（いわゆる真鍮）で構成されているものとして説明する。ウェイト３４３とウェイト３４５は、φ４ｍｍのカーボン素材の棒から任意の長さに切り出して加工することができる。なお、ウェイト３４３とウェイト３４５は、カーボン素材を射出成型によって形成しても構わない。また、ウェイト３４４は黄銅の棒から任意の長さに切り出して加工することができる。なお、ウェイト３４４は黄銅を鋳造によって形成しても構わない。各ウェイトの長さや挿入される位置は、使用者の好みに合わせて重さや重心位置を設定できるように計算されている。
【００２９】
図４に示す、バランスウェイト３４１は、ウェイトスリーブ３４２に各ウェイト３４３から３４５をウェイトスリーブ３４２の端部の開口部から挿入することによって形成する。挿入するウェイトは、エポキシ系接着剤を周囲に塗布した状態でウェイトスリーブ３４２に挿入され、定められた位置まで押し込まれ接着される。この工程は、ウェイト毎に挿入、接着を行っても構わないし、複数のウェイトを一括して挿入し、接着を行っても構わない。また、複数のウェイトの間にエポキシ系接着剤を塗布して挿入を行っても構わない。なお、挿入するウェイトにエポキシ系接着剤を塗布せず、ウェイトスリーブ３４２に予め各ウェイトを挿入し、ウェイトスリーブ３４２の内壁と各ウェイトの隙間にエポキシ系接着剤を流し込むことにより充填して接着を行っても構わない。バランスウェイト３４１は、接着剤が硬化することで完成する。
【００３０】
図１０は、シャフト本体３５１に、シャフト３０１を構成する各部品である、バランスウェイト３４１、心棒３３１、先角心棒キャップ３２１、フェーラル３２２、タップ３２３を組み付ける製造過程を示す断面図である。
【００３１】
図１０（ａ）は、シャフト本体３５１に、完成したバランスウェイト３４１を挿入した状態である。挿入するバランスウェイト３４１は、エポキシ系接着剤を周囲に塗布された状態でシャフト本体３５１に挿入され、シャフト本体３５１の後端内壁部３５４が構成する中空部の後端に突き当たる位置まで押し込まれ接着される。その際、エポキシ系接着剤を介して突き当てるようにしても構わない。なお、シャフト本体３５１に、ウェイトスリーブ３４２を挿入し、シャフト本体３５１の後端内壁部３５４とウェイトスリーブ３４２の隙間にエポキシ系接着剤を流し込むことにより充填しても構わない。
【００３２】
図１０（ｂ）は、バランスウェイト３４１が挿入されたシャフト本体３５１に、心棒３３１を挿入した状態である。心棒３３１をシャフト本体３５１に挿入する前に、中間内壁部３５３が構成する中空部に発泡ウレタンを充填する。その後、挿入する心棒３３１は、エポキシ系接着剤を心棒３３１の挿入する側から３０ｍｍの長さの範囲で塗布する。心棒３３１は、シャフト本体３５１に挿入されシャフト本体３５１の先端内壁部３５２が構成する中空部の後端に突き当たる位置まで押し込まれ接着される。その際、エポキシ系接着剤を介して突き当てるようにしても構わない。なお、シャフト本体３５１に、心棒３３１を挿入し、シャフト本体３５１の先端内壁部３５２とウェイトスリーブ３４２の隙間にエポキシ系接着剤を流し込むことにより充填しても構わない。
【００３３】
図１０（ｃ）は、バランスウェイト３４１および心棒３３１が挿入されたシャフト本体３５１に、先角心棒キャップ３２１が接合された状態である。先角心棒キャップ３２１は、軸にエポキシ系接着剤を周囲に塗布された状態で心棒３３１に挿入さ接着される。
【００３４】
図１０（ｄ）は、フェーラル３２２およびタップ３２３が心棒３３１および先角心棒キャップ３２１に接合された状態である。フェーラル３２２は、心棒３３１のシャフト本体３５１から突出した部位にエポキシ系接着剤を塗布し、突出した部位にフェーラル３２２の穴部を被せることで接着される。フェーラル３２２が接着されると、フェーラル３２２の先端と先角心棒キャップ３２１の先端が同一面を形成される。タップ３２３は、その面に例えばシアノアクリレートのような接着剤で接着される。
【００３５】
図１０（ａ）から図１０（ｄ）の状態とする工程で塗布された接着剤が硬化することによりシャフト３０１が完成する。
【００３６】
＜効果＞
以上、説明したシャフト３０１の構成により、シャフト本体３５１の内部に設けられるバランスウェイト３４１の重さと重心をあらかじめ調整することで、シャフト３０１の重さと重心を調整することができる。また、シャフト３０１を組付けたキュースティック１０１で、ビリヤード球を突いたときにシャフト３０１にかかる応力をシャフト本体３５１とバランスウェイト３４１が分散して吸収するため、シャフト全体の剛性を確保することができる。さらに、それによって、シャフト全体の撓りの振動周期を、剛性の低いシャフトに比較して短くすることができ、ビリヤード球を正確に打つことができ、かつ使用感を向上させることができる。
【００３７】
また、シャフト３０１内の一部に局所的に重いウェイトを配置して重心の調整を行った場合に比べ、シャフト３０１の重心を同じくするのに本実施形態における重心の調整を行った場合、重心を中心とした回転のモーメントが低減され、シャフト３０１の振動を低減することによって使用感を向上させることができる。
【００３８】
また、シャフト３０１の先を上記の構造とすることで、シャフト３０１のビリヤード球の中心軸からずれた部位を突いたときにシャフト３０１の先部に適度な撓りを生じさせ、ビリヤード球のコントロール性を向上させることができる。
【００３９】
（第２の実施形態）
第２の実施形態は、バランスウェイト３４１をシャフト本体３５１のバットと接続する後端部から挿入したシャフトである。基本的な構成は第１の実施形態と同じであるため、異なる部分について以下に説明する。
【００４０】
図１１は、シャフト本体３５１に、バランスウェイト３４１、心棒３３１、先角心棒キャップ３２１、フェーラル３２２、タップ３２３が組付けられたシャフト３０１の完成状態を示す断面図である。
【００４１】
シャフト本体３５１は、先端から先端内壁部３５２が構成するように内部には穴が設けられている。また、後端から、後端内壁部３５４、中間内壁部３５３を構成するようにシャフト本体３５１の内部には穴が設けられている。中間内壁部３５３が構成する中空部にバランスウェイトを挿入し、エポキシ系接着剤で固定する。その後、シャフト側ジョイント３１１である雌ネジが構成されているジョイント蓋部３１２を、後端内壁部３５４が構成する中空部に挿入し、エポキシ系接着剤で固定する。
【００４２】
以上の構成により、シャフト本体３５１の後端側の太い部分から穴をあけ、中間内壁部３５３、後端内壁部３５４を構成することができるため、第１の実施形態に比較して、比較的強度のある部分から穴をあけながら、バランスウェイト３４１を挿入することができる。
【００４３】
以上、本開示のいくつかの実施形態を説明したが、これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【００４４】
１０１…キュースティック
２０１…バット
２１１…バット側ジョイント
３０１…シャフト
３１１…シャフト側ジョイント
３２１…先角心棒キャップ
３２２…フェーラル
３２３…タップ
３３１…心棒
３３２…心棒開口部
３４１…バランスウェイト
３４２…ウェイトスリーブ
３４３、３４４、３４５…ウェイト
３５１…シャフト本体
３５２…先端内壁部
３５３…中間内壁部
３５４…後端内壁部
【図１】
2019129882.tif 000003
【図２】
2019129882.tif 000004
【図３】
2019129882.tif 000005
【図４】
2019129882.tif 000006
【図５】
2019129882.tif 000007
【図６】
2019129882.tif 000008
【図７】
2019129882.tif 000009
【図８】
2019129882.tif 000010
【図９】
2019129882.tif 000011
【図１０】
2019129882.tif 000012
【図１１】
2019129882.tif 000013